(57)【要約】  【課題】循環気流の風路を規制し省エネ及び商品の加温劣化を改善する。  【解決手段】商品収容部７及び商品収容部１０８内側のベンドコラム５０１にフォーム５１１を粘着剤で貼付け、商品収容部７及び商品収容部１０８内側の隙間ｇ６を限りなく閉塞し、商品収容部７及び商品収容部１０８の内側を吹き上げる循環気流（熱風）を遮風し、商品収容部７及び商品収容部１０８上部まで循環気流（熱風）の対流を防止することより、省エネ及び、商品６の温度上昇を低減し加温劣化を防止でき、より長期間鮮度の高い商品６を消費者に提供できる。また、バックドア４を閉時、フォーム６０１ａ，６０１ｂが商品収容部７，１０８に限りなく密接するよう貼り付け、さらにフォーム６０１ａの方がフォーム６０１ｂより高い位置になるよう貼り付け、商品収容部１０８の循環気流の方が商品収容部７より低い位置で循環することより、商品収容部毎に加温領域を調整できる。【選択図】図２
2008117033.tif 000002
【特許請求の範囲】
【請求項１】
商品を搬出するための商品搬出手段と、商品を収容する商品収容部と、前記商品収容部を収容する庫内と、前記庫内を断熱密閉するバックドアと、前記商品収容部の下部に位置し空気を冷却・加温する冷却・加温手段と、前記庫内上部の空気が対流することを防止するための風路抵抗手段と、前記商品収容部内側を吹上げる空気を遮風するための吹上げ防止手段と、前記商品収容部外側の風路を規制するための風路規制手段を備えた自動販売機の冷却加温機構。
【請求項２】
前記風路抵抗手段は、前記商品収容部側に開口した中間開口部を持つ背面ダクトと、前記庫内上部までの空間を閉塞するための閉塞部を備えた請求項１に記載の自動販売機の冷却加温機構。
【請求項３】
前記閉塞部は、前記背面ダクトと同一素材の延長部であり、前記延長部を前記庫内上部まで前記商品収容部と限りなく密着するよう配置した請求項２に記載の自動販売機の冷却加温機構。
【請求項４】
前記閉塞部は、前記背面ダクトと異なる素材の補助部であり、前記補助部を前記庫内上部まで前記商品収容部と限りなく密着するよう配置した請求項２に記載の自動販売機の冷却加温機構。
【請求項５】
前記吹上げ防止手段は、前記商品収容部内側の隙間に設けた遮風部である請求項１に記載の自動販売機の冷却加温機構。
【請求項６】
前記遮風部は、固定式である請求項５に記載の自動販売機の冷却加温機構。
【請求項７】
前記遮風部は、可動式である請求項５に記載の自動販売機の冷却加温機構。
【請求項８】
前記風路規制手段は、空気吹上げ高さ調整部であり、前記バックドア下端と前記空気吹上げ高さ調整部下端との距離が変化するよう前記商品収容部と前記バックドアとの間に設けた請求項１に記載の自動販売機の冷却加温機構。
【請求項９】
前記空気吹上げ高さ調整部は、複数で分割した請求項８に記載の自動販売機の冷却加温機構。
【請求項１０】
前記空気吹上げ高さ調整部は、単独で連続した請求項８に記載の自動販売機の冷却加温機構。
【発明の詳細な説明】
【技術分野】
【０００１】
本発明は部分加温を行うこととした自動販売機の冷却加温機構に関するものである。
【背景技術】
【０００２】
従来、この種の自動販売機の冷却加温機構は図３のような構造となっている（例えば、特許文献１参照）。
【０００３】
図３は、特許文献１に記載された従来の自動販売機の冷却加温機構を示すものである。図３に示すように、自動販売機１とメインドア２とで囲まれた自動販売機内部に、バックドア４で開閉される断熱構造の内箱３が設けられ、これらの内箱３とバックドア４とで囲まれた庫内５に、缶飲料などからなる商品６を蛇行状に積み上げて収納する商品収容部７が設定されている。
【０００４】
また、庫内５における背面近傍箇所には通風用の背面ダクト８が上下に延設されており、背面ダクト８の上側開口部８ａは庫内５の背面近傍の上端部箇所に開口され、背面ダクト８の下側開口部８ｂは庫内５の背面近傍の底部箇所に開口されている。この背面ダクト８の下側開口部８ｂが開口されている庫内５の底部には、冷却手段としての蒸発器９、加温手段としてのヒータ１０、送風手段としてのファン１１などが配設されている。さらに、背面ダクト８には、上側開口部８ａと下側開口部８ｂとに加えて、上下方向の略中箇所における商品収容部７側に臨むように開口された中間開口部８ｃが形成されている。そして、この中間開口部８ｃを開閉する形状記憶合金製のシャッタ２０が設けられている。なお、デリバリシュート１４は商品搬出用のもので多数の通風孔が開けられており、ベンドメカ２１は商品６を搬出するものである。
【０００５】
以上のように構成された自動販売機の冷却加温機構について、以下その動作を説明する。
【０００６】
まず、シャッタ２０は、その上端部が背面ダクト８における中間開口部８ｃのすぐ上の箇所に固着されており、加温され高温となった際には、中間開口部８ｃに臨む箇所が斜め後方に湾曲して中間開口部８ｃが開けられると同時に、下端部が背面ダクト８の背面部に接触して中間開口部８ｃがより上側の循環通路８ｄを遮断する開姿勢となる。
【０００７】
したがって、熱風は背面ダクト８の中間開口部８ｃより下側を通して循環する。また、シャッタ２０は、冷却され低温となった際には、直線状となって中間開口部８ｃが閉じられると同時に背面ダクト８の上側および下側を連通させて開ける閉姿勢となる。したがって、冷風は背面ダクト８内を上から下まで通して循環する。
【特許文献１】特開平１０−１８８１１１号公報
【発明の開示】
【発明が解決しようとする課題】
【０００８】
しかしながら、上記従来の構成では、熱風は背面ダクト８の中間開口部８ｃより下側の循環通路を通して循環するが、バックドア４と商品収容部７の手前側との隙間・商品収容部７の奥側と背面ダクト８との隙間・商品収容部７と庫内との隙間への循環気流、つまり部分加温に使用されない循環気流の分、増エネになるだけでなく、商品収容部７の上部の商品６を加温するため加温劣化が進み商品の鮮度が低下するという課題を有していた。
【０００９】
本発明は、上記従来の課題を解決するもので、前記従来の隙間への循環気流を遮風し、さらにこの循環気流を部分加温に使用することにより省エネを図るだけでなく、商品収容部７の上部商品の温度上昇を低減することにより加温劣化を防止し、より鮮度の高い商品６を消費者に提供するとした自動販売機の冷却加温機構を提供することを目的とする。
【課題を解決するための手段】
【００１０】
上記従来の課題を解決するために、本発明の自動販売機の冷却加温機構は、商品を搬出するための商品搬出手段と、商品を収容する商品収容部と、前記商品収容部を収容する庫内と、前記庫内を断熱密閉するバックドアと、前記商品収容部の下部に位置し空気を冷却・加温する冷却・加温手段と、前記庫内上部の空気が対流することを防止するための風路抵抗手段と、前記商品収容部内側を吹上げる空気を遮風するための吹上げ防止手段と、前記商品収容部外側の風路を規制するための風路規制手段を備えたものである。
【００１１】
これによって、前記遮風手段は前記冷却・加温手段から吹出され前記商品収容部を循環する冷気または暖気が前記商品収容部のいずれか一側面に沿って前記遮風手段より上部を循環するのを規制することとなる。
【発明の効果】
【００１２】
本発明の自動販売機の冷却加温機構は、商品収容部の下部を加温する部分加温の際、従来まで部分加温に使用されなかった商品収容部のいずれか一側面に沿って流入した循環気流を部分加温に使用できるため省エネになるだけでなく、商品の温度上昇を低減し加温劣化を防止でき、より長期間鮮度の高い商品を消費者に提供できる。
【発明を実施するための最良の形態】
【００１３】
請求項１に記載の発明は、商品を搬出するための商品搬出手段と、商品を収容する商品収容部と、前記商品収容部を収容する庫内と、前記庫内を断熱密閉するバックドアと、前記商品収容部の下部に位置し空気を冷却・加温する冷却・加温手段と、前記庫内上部の空気が対流することを防止するための風路抵抗手段と、前記商品収容部内側を吹上げる空気を遮風するための吹上げ防止手段と、前記商品収容部外側の風路を規制するための風路規制手段を備えることより、前記風路抵抗手段付近の隙間が減少し風路抵抗が増加し、より下部で循環気流（熱風）が対流するので省エネになるだけでなく、商品の温度上昇を低減し加温劣化を防止でき、より長期間鮮度の高い商品を消費者に提供できる。
【００１４】
請求項２に記載の発明は、請求項１に記載の発明の風路抵抗手段を、前記商品収容部側に開口した中間開口部を持つ背面ダクトと、前記庫内上部までの空間を閉塞するための閉塞部を備えたことより、前記閉塞部付近の隙間が減少し風路抵抗が増加し、より下部で循環気流（熱風）が対流するので省エネになるだけでなく、商品の温度上昇を低減し加温劣化を防止でき、より長期間鮮度の高い商品を消費者に提供できる。
【００１５】
請求項３に記載の発明は、請求項２に記載の発明の前記閉塞部を、前記背面ダクトと同一素材の延長部であり、前記延長部を前記庫内上部まで前記商品収容部と限りなく密着するよう配置したことより、前記延長部付近の隙間が減少し風路抵抗が増加し、より下部で循環気流（熱風）が対流するので省エネになるだけでなく、商品の温度上昇を低減し加温劣化を防止でき、より長期間鮮度の高い商品を消費者に提供できる。
【００１６】
請求項４に記載の発明は、請求項２に記載の発明の前記閉塞部を、前記背面ダクトと異なる素材の補助部であり、前記補助部を前記庫内上部まで前記商品収容部と限りなく密着するよう配置したことより、前記延長部を前記庫内上部まで前記商品収容部と限りなく密着するよう配置したことより、前記延長部付近の隙間が減少し風路抵抗が増加し、より下部で循環気流（熱風）が対流するので省エネになるだけでなく、商品の温度上昇を低減し加温劣化を防止でき、より長期間鮮度の高い商品を消費者に提供できる。
【００１７】
請求項５に記載の発明は、請求項１に記載の発明の吹上げ防止手段を、前記商品収容部内側の隙間に設けた遮風部としたことより、前記商品収容部内側の隙間を限りなく閉塞し、前記商品収容部の内側を吹き上げる循環気流（熱風）を遮風し、前記商品収容部上部まで循環気流（熱風）が対流することを防止することより、省エネになるだけでなく、商品の温度上昇を低減し加温劣化を防止でき、より長期間鮮度の高い商品を消費者に提供できる。
【００１８】
請求項６に記載の発明は、請求項５に記載の発明の遮風部を、固定式としたことより、前記商品収容部内側の隙間を限りなく閉塞し、前記商品収容部の内側を吹き上げる循環気流（熱風）を遮風し、前記商品収容部上部まで循環気流（熱風）が対流することを防止することより、省エネになるだけでなく、商品の温度上昇を低減し加温劣化を防止でき、より長期間鮮度の高い商品を消費者に提供できる。
【００１９】
請求項７に記載の発明は、請求項５に記載の発明の遮風部を、可動式としたことより、前記商品収容部内側の隙間を限りなく閉塞し、前記商品収容部の内側を吹き上げる循環気流（熱風）を遮風し、前記商品収容部上部まで循環気流（熱風）が対流することを防止することより、省エネになるだけでなく、商品の温度上昇を低減し加温劣化を防止でき、より長期間鮮度の高い商品を消費者に提供できる。
【００２０】
請求項８に記載の発明は、請求項１に記載の発明の風路規制手段を、空気吹上げ高さ調整部であり、前記バックドア下端と前記空気吹上げ高さ調整部下端との距離が変化するよう前記商品収容部と前記バックドアとの間に設けたことより、商品収容部毎に循環気流が吹上げる高さを調整できるので、実施の形態１の効果に加えて、商品収容部毎に加温領域を調整できる。
【００２１】
請求項９に記載の発明は、請求項８に記載の発明の空気吹上げ高さ調整部を、複数で分割したことより、商品収容部毎に循環気流が吹上げる高さを調整できるので、実施の形態１の効果に加えて、商品収容部毎に加温領域を調整できる。
【００２２】
請求項１０に記載の発明は、請求項８に記載の発明の空気吹上げ高さ調整部を、単独で連続したことより、商品収容部毎に循環気流が吹上げる高さを調整できるので、実施の形態１の効果に加えて、商品収容部毎に加温領域を調整できる。
【００２３】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００２４】
（実施の形態１）
図１（ａ）は、本発明の実施の形態１における自動販売機の冷却加温機構の側面からみた構成図であり、図１（ｂ）は、本発明の実施の形態１における自動販売機の冷却加温機構の正面からみた構成図である。
【００２５】
図１（ａ）において、商品収容部７は最も背面ダクト８寄りにある奥商品収容部７ａから最もバックドア４寄りにある手前商品収容部７ｂまで複数の収容部から構成されている。そして、商品収容部７を含む庫内５はメインドア２、バックドア４、内箱３にて密閉されており、背面ダクト８の中間開口部８ｃは奥商品収容部７ａの商品搬出手段であるベンドメカ２１付近に位置する。
【００２６】
また、図１（ｂ）において、庫内５は商品収容部７と商品収容部１０８とから構成されている。また、冷却手段としての蒸発器９、加温手段としてのヒータ１０、送風手段としてのファン１１、背面ダクト８、上側開口部８ａ、下側開口部８ｂ、中間開口部８ｃそして吸込み位置切換手段としてのシャッタ２０は従来の技術と同一構成のため同一符号を付して、その詳細な説明は省略する。
【００２７】
ここで、固定式遮風手段である発砲樹脂材、例えばフォーム１０１ａを背面ダクト８の中間開口部８ｃの真上、かつ右バリヤ１０３ａの商品収容部１０８方向の壁面から左バリヤ１０３ｂの商品収容部７方向の壁面までバックドア４の手前商品収容部７ｂ方向の側面に粘着剤で貼付け、バックドア４を閉じたときバックドア４と手前商品収容部７ｂ間の隙間ｇ１が限りなく閉塞されるようにする。
【００２８】
以上のように構成された自動販売機の冷却加温機構について、以下その動作、作用を説明する。
【００２９】
まず、吸込み位置切換手段であるシャッタ２０が背面ダクト８の中間開口部８ｃから循環気流（冷気流または暖気流）を吸込む状態であるとき、デリバリシュート１４を通して吹出した循環気流は、商品収容部７を循環し背面ダクト８の中間開口部８ｃに吸込まれる。そして、循環気流は、再度デリバリシュート１４を通して吹出され、商品収容部７を循環する。
【００３０】
このとき、バックドア４と手前商品収容部７ｂ間の隙間ｇ１へ流入した循環気流が、フォーム１０１ａにより遮風されるため、フォーム１０１ａより上部を循環することを阻まれる。そして、フォーム１０１ａ周囲の循環気流は背面ダクト８の中間開口部８ｃに向かって循環しているため、フォーム１０１ａにより遮風された循環気流もこの周囲の循環気流に従い背面ダクト８の中間開口部８ｃに向かって循環する。
【００３１】
以上のように、本実施の形態においては、固定式遮風手段である発砲樹脂材、例えばフォーム１０１ａを背面ダクト８の中間開口部８ｃの真上、かつ右バリヤ１０３ａの商品収容部１０８方向の壁面から左バリヤ１０３ｂの商品収容部７方向の壁面までバックドア４の手前商品収容部７ｂ方向の側面に粘着剤で貼付け、バックドア４を閉じたときバックドア４と手前商品収容部７ｂ間の隙間ｇ１が限りなく閉塞されるようにすることにより、バックドア４と手前商品収容部７ｂ間の隙間ｇ１へ流入した循環気流が、フォーム１０１ａにより遮風されるため、フォーム１０１ａより上部を循環することを阻まれる。
【００３２】
そして、フォーム１０１ａ周囲の循環気流は背面ダクト８の中間開口部８ｃに向かって循環しているため、フォーム１０１ａにより遮風された循環気流もこの周囲の循環気流に従い背面ダクト８の中間開口部８ｃに向かって循環するため、商品収容部７の下部を加温する部分加温の際、従来まで部分加温に使用されなかったバックドア４と手前商品収容部７ｂ間の隙間ｇ１へ流入した循環気流を部分加温に使用できるため省エネになるだけでなく、フォーム１０１ａより上部にある手前商品収容部７ｂの商品６の温度上昇を低減し加温劣化を防止でき、より長期間鮮度の高い商品６を消費者に提供できる。
【００３３】
また、本実施の形態の遮風手段を可動式のもの、例えば金属製開閉フラップ１０２（図示省略）とし、部分加温のときのみ開閉フラップ１０２を開状態で、バックドア４と手前商品収容部７ｂ間の隙間ｇ１を閉塞しても同様の効果を得られることができる。
【００３４】
さらに、開閉フラップ１０２は可動式のため、商品収容部７の上部までの商品６を加温する全体加温の際は、開閉フラップ１０２を閉状態にすることによりバックドア４と手前商品収容部７ｂ間に隙間ｇ１ができ、開閉フラップ１０２より上部を循環気流が循環できるようになるため、全体加温が可能となる。
【００３５】
つまり、遮風手段を可動式にすることにより、販売量が多く、多数の商品を加温する必要がある場合もより早く商品６を適温に加温することができ、販売機会を失うことを防止できるという効果も得られる。
【００３６】
なお、固定式遮風手段及び可動式遮風手段はそれぞれフォーム１０１及び金属製開閉フラップ１０２に限定されるものでなく、フォーム１０１以外の発砲樹脂材やパテ・粘土そして木製開閉板でも同様の効果が得られる。
【００３７】
また、フォーム１０１ａをバックドア４に貼付けるのではなく、手前商品収容部７ｂに貼付けたり、フォーム１０１ａの貼付け高さを部分加温する範囲に従い変更しても同様の効果が得られる。
【００３８】
さらに、フォーム１０１の体積を増やすと、バックドア４と手前商品収容部７ｂ間の隙間ｇ１が完全に閉塞されるため、さらなる遮風効果が得られる。
【００３９】
（実施の形態２）
図１（ａ）は、本発明の実施の形態２における自動販売機の冷却加温機構の側面からみた構成図であり、図１（ｂ）は、本発明の実施の形態２における自動販売機の冷却加温機構の正面からみた構成図である。
【００４０】
図１（ａ）、図１（ｂ）において、背面ダクト８の中間開口部８ｃの真上かつ、右バリヤ１０３ａの商品収容部１０８方向の壁面から左バリヤ１０３ｂの商品収容部７方向の壁面まで背面ダクト８の奥商品収容部７ａ方向の側面にフォーム１０１ｂを粘着剤で貼付け、奥商品収容部７ａと背面ダクト８間の隙間ｇ２を限りなく閉塞する。
【００４１】
以上のように構成された自動販売機の冷却加温機構について、以下その動作、作用を説明する。
【００４２】
まず、シャッタ２０が背面ダクト８の中間開口部８ｃから循環気流（冷気流または暖気流）を吸込む状態であるとき、デリバリシュート１４を通して吹出した循環気流は、商品収容部７を循環し背面ダクト８の中間開口部８ｃに吸込まれる。そして、循環気流は、再度デリバリシュート１４を通して吹出され、商品収容部７を循環する。このとき、奥商品収容部７ａと背面ダクト８間の隙間ｇ２へ流入した循環気流が、フォーム１０１ｂにより遮風されるため、フォーム１０１ｂより上部を循環することを阻まれる。そして、フォーム１０１ｂ周囲の循環気流は背面ダクト８の中間開口部８ｃに向かって循環しているため、フォーム１０１ｂにより遮風された循環気流もこの周囲の循環気流に従い背面ダクト８の中間開口部８ｃに向かって循環する。
【００４３】
以上のように、本実施の形態においては、背面ダクト８の中間開口部８ｃの真上かつ、右バリヤ１０３ａの商品収容部１０８方向の壁面から左バリヤ１０３ｂの商品収容部７方向の壁面まで背面ダクト８の奥商品収容部７ａ方向の側面にフォーム１０１ｂを粘着剤で貼付け、奥商品収容部７ａと背面ダクト８間の隙間ｇ２を限りなく閉塞することにより、奥商品収容部７ａと背面ダクト８間の隙間ｇ２へ流入した循環気流が、フォーム１０１ｂにより遮風されるため、フォーム１０１ｂより上部を循環することを阻まれる。
【００４４】
そして、フォーム１０１ｂ周囲の循環気流は背面ダクト８の中間開口部８ｃに向かって循環しているため、フォーム１０１ｂにより遮風された循環気流もこの周囲の循環気流に従い背面ダクト８の中間開口部８ｃに向かって循環するため、奥商品収容部７ａも実施の形態１と同様の効果を得ることができる。
【００４５】
なお、固定式遮風手段はフォーム１０１に限定されるものでなく、フォーム１０１以外の発砲樹脂材やパテ、粘土でも同様の効果が得られる。
【００４６】
また、フォーム１０１ｂを背面ダクト８の中間開口部８ｃに貼付けるのではなく、奥商品収容部７ａに貼付けたり、フォーム１０１ｂ貼付け高さを部分加温する範囲に従い変更しても同様の効果が得られる。
【００４７】
さらに、フォーム１０１ｂの体積を増やすと、背面ダクト８の中間開口部８ｃと奥商品収容部７ａ間の隙間ｇ２が完全に閉塞されるため、さらなる遮風効果が得られる。
【００４８】
（実施の形態３）
図１（ｂ）は、本発明の実施の形態３における自動販売機の冷却加温機構の正面からみた構成図である。
【００４９】
図１（ｂ）において、背面ダクト８の中間開口部８ｃの真上、かつ背面ダクト８方向に沿って奥商品収容部７ａから手前商品収容部７ｂまで商品収容部７の左バリヤ１０３ｂ方向の側面にフォーム１０１ｃを接着剤で貼付け、商品収容部７と左バリヤ１０３ｂ間の隙間ｇ３を限りなく閉塞する。そして、商品収容部１０８と右バリヤ１０３ａ間の隙間ｇ４も同様にフォーム１０１ｄを貼付け、隙間ｇ４を限りなく閉塞する。
【００５０】
また、背面ダクト８の中間開口部８ｃの真上、かつ背面ダクト８方向に沿って奥商品収容部７ａから手前商品収容部７ｂまで商品収容部７の商品収容部１０８方向の側面と商品収容部１０８の商品収容部７方向の側面それぞれにフォーム１０１ｅを接着剤で貼付け、商品収容部７と商品収容部１０８間の隙間ｇ５を限りなく閉塞する。
【００５１】
以上のように構成された自動販売機の冷却加温機構について、以下その動作、作用を説明する。
【００５２】
まず、シャッタ２０が背面ダクト８の中間開口部８ｃから循環気流（冷気流または暖気流）を吸込む状態であるとき、デリバリシュート１４を通して吹出した循環気流は、商品収容部７または商品収容部１０８を循環し背面ダクト８の中間開口部８ｃに吸込まれる。そして、循環気流は、再度デリバリシュート１４を通して吹出され、商品収容部７及び商品収容部１０８を循環する。
【００５３】
このとき、商品収容部７と左バリヤ１０３ｂ間の隙間ｇ３、商品収容部１０８と右バリヤ１０３ａ間の隙間ｇ４、商品収容部７と商品収容部１０８間の隙間ｇ５へ流入した循環気流が、フォーム１０１ｃ、フォーム１０１ｄ、フォーム１０１ｅにより遮風されるため、フォーム１０１ｃ、フォーム１０１ｄ、フォーム１０１ｅより上部を循環することを阻まれる。そして、フォーム１０１ｃ、フォーム１０１ｄ、フォーム１０１ｅ周囲の循環気流は背面ダクト８の中間開口部８ｃに向かって循環しているため、フォーム１０１ｃ、フォーム１０１ｄ、フォーム１０１ｅにより遮風された循環気流もこの周囲の循環気流に従い背面ダクト８の中間開口部８ｃに向かって循環する。
【００５４】
以上のように、本実施の形態においては、背面ダクト８の中間開口部８ｃの真上、かつ背面ダクト８方向に沿って奥商品収容部７ａから手前商品収容部７ｂまで商品収容部７の左バリヤ１０３ｂ方向の側面にフォーム１０１ｃを接着剤で貼付け、商品収容部７と左バリヤ１０３ｂ間の隙間ｇ３を限りなく閉塞する。そして、商品収容部１０８と右バリヤ１０３ａ間の隙間ｇ４も同様にフォーム１０１ｄを貼付け、隙間ｇ４を限りなく閉塞する。
【００５５】
また、背面ダクト８の中間開口部８ｃの真上、かつ背面ダクト８方向に沿って奥商品収容部７ａから手前商品収容部７ｂまで商品収容部７の商品収容部１０８方向の側面と商品収容部１０８の商品収容部７方向の側面それぞれにフォーム１０１ｅを接着剤で貼付け、商品収容部７と商品収容部１０８間の隙間ｇ５を限りなく閉塞することにより、商品収容部７と左バリヤ１０３ｂ間の隙間ｇ３、商品収容部１０８と右バリヤ１０３ａ間の隙間ｇ４、商品収容部７と商品収容部１０８間の隙間ｇ５へ流入した循環気流が、フォーム１０１ｃ、フォーム１０１ｄ、フォーム１０１ｅにより遮風されるため、フォーム１０１ｃ、フォーム１０１ｄ、フォーム１０１ｅより上部を循環することを阻まれる。
【００５６】
そして、フォーム１０１ｃ、フォーム１０１ｄ、フォーム１０１ｅ周囲の循環気流は背面ダクト８の中間開口部８ｃに向かって循環しているため、フォーム１０１ｃ、フォーム１０１ｄ、フォーム１０１ｅにより遮風された循環気流もこの周囲の循環気流に従い背面ダクト８の中間開口部８ｃに向かって循環するため、商品収容部７の奥商品収容部７ａから手前商品収容部７ｂ及び商品収容部１０８の奥商品収容部１０８ａから手前商品収容部１０８ｂまでの広範囲に対し、実施の形態１と同様の効果を得ることができる。
【００５７】
なお、固定式遮風手段はフォーム１０１に限定されるものでなく、フォーム１０１以外の発砲樹脂材やパテ・粘土でも同様の効果が得られる。
【００５８】
また、フォーム１０１ｃ及びフォーム１０１ｄをそれぞれ商品収容部７及び商品収容部１０８ではなく商品収容部７方向の左バリヤ１０３ｂの側面及び商品収容部１０８方向の右バリヤ１０３ａの側面に貼付けたり、フォーム１０１ｃ、フォーム１０１ｄ、フォーム１０１ｅの貼付け高さを部分加温する範囲に従い変更しても同様の効果が得られる。
【００５９】
さらに、フォーム１０１ｃ、フォーム１０１ｄ、フォーム１０１ｅの体積を増やすと、商品収容部７と商品収容部７と左バリヤ１０３ｂ間の隙間ｇ３・商品収容部１０８と右側バリヤ１０３ａ間の隙間ｇ４、商品収容部７と商品収容部１０８間の隙間ｇ５が完全に閉塞されるため、さらなる遮風効果が得られる。
【００６０】
（実施の形態４）
図２（ａ）は、本発明の実施の形態４における自動販売機の冷却加温機構の側面からみた構成図であり、図２（ｂ）は、本発明の実施の形態４における背面ダクトの構成図であり、図２（ｃ）は、本発明の実施の形態４におけるバックドアの構成図である。
【００６１】
図２（ｂ）において、背面ダクト４０１（風路抵抗手段）の形状を説明する。
【００６２】
まず、中間開口部４０１ｃの形状は長方形で背面ダクト４０１の下端から上端までに配置されており、上部遮風部は中間開口部４０１ｃから背面ダクト４０１上部までにある凸部４１１である。そして、図２（ａ）において、背面ダクト４０１は、商品収容部７・商品収容部１０８の下端から上端までと限りなく密着するよう設けられており、これが庫内５と商品収容部７・商品収容部１０８間の閉塞部となっている。
【００６３】
以上のように構成された自動販売機の冷却加温機構について以下その動作、作用を説明する。
【００６４】
まず、デリバリシュート１４を通して吹出した循環気流（熱風）は、商品収容部７・商品収容部１０８を循環し背面ダクト４０１の中間開口部４０１ｃに吸込まれる。そして、循環気流（熱風）は、再度デリバリシュート１４を通して吹出され、商品収容部７・商品収容部１０８を循環する。このとき、背面ダクト４０１が商品収容部７・商品収容部１０８の下端から上端までと限りなく密着することで、背面ダクト４０１上部付近の隙間が減少し風路抵抗が増加する。そのため、背面ダクト４０１上部付近の商品収容部７・商品収容部１０８から中間開口部４０１ｃへ循環気流（熱風）が対流することを防止し、より下部で循環気流（熱風）が対流する。
【００６５】
以上のように、本実施の形態においては、中間開口部４０１ｃの形状を長方形で背面ダクト４０１の下端から上端までに配置し、上部遮風部を中間開口部４０１ｃから背面ダクト４０１上部までにある凸部４１１とし、背面ダクト４０１を商品収容部７・商品収容部１０８の下端から上端までと限りなく密着するよう設けることで、背面ダクト４０１上部付近の隙間が減少し風路抵抗が増加するため、背面ダクト４０１上部付近の商品収容部７・商品収容部１０８から中間開口部４０１ｃへ循環気流（熱風）が対流することを防止し、より下部で循環気流（熱風）が対流するので実施の形態１と同様の効果が得られる。
【００６６】
また、庫内５と商品収容部７・商品収容部１０８間の閉塞部が、背面ダクト４０１でなく、発砲樹脂材、例えばフォーム４２１（図示省略）であっても、同様の効果が生まれる。
【００６７】
なお、中間開口部４０１ｃの形状は長方形のみならず、多角形や曲線を含むものでも同様の効果が得られる。
【００６８】
さらに、フォーム４２１は単独のものだけでなく、複数つなぎ合わせたものでも同様の効果が得られる。
【００６９】
また図２（ａ）において、商品収容部７及び商品収容部１０８内側のベンドコラム５０１にフォーム５１１（吹上げ防止手段）を粘着剤で貼付け、商品収容部７及び商品収容部１０８内側の隙間ｇ６を限りなく閉塞する。
【００７０】
以上のように構成された自動販売機の冷却加温機構について、以下その動作、作用を説明する。
【００７１】
まず、デリバリシュート１４を通して吹出した循環気流（熱風）は、商品収容部７及び商品収容部１０８を循環し背面ダクト４０１の中間開口部４０１ｃに吸込まれる。そして、循環気流（熱風）は、再度デリバリシュート１４を通して吹出され、商品収容部７及び商品収容部１０８を循環する。
【００７２】
このとき、フォーム５１１により商品収容部７及び商品収容部１０８の内側を吹き上げる循環気流（熱風）を遮風し、商品収容部７及び商品収容部１０８上部まで循環気流（熱風）が対流することを防止する。
【００７３】
以上のように、本実施の形態においては、商品収容部７及び商品収容部１０８内側のベンドコラム５０１にフォーム５１１を粘着剤で貼付け、商品収容部７及び商品収容部１０８内側の隙間ｇ６を限りなく閉塞し、商品収容部７及び商品収容部１０８の内側を吹き上げる循環気流（熱風）を遮風し、商品収容部７及び商品収容部１０８上部まで循環気流（熱風）が対流することを防止することより、実施の形態１と同様の効果が得られる。
【００７４】
なお、フォーム５１１を貼り付ける箇所は商品収容部７及び商品収容部内側の隙間ｇ６を限りなく閉塞する箇所であれば、ベンドコラム５０１に限定されるものではなく、複数の箇所に貼り付けても同様の効果が得られる。
【００７５】
また、吹上げ防止手段はフォーム５１１に限定されるものでなく、フォーム５１１以外の発砲樹脂材、粘土そして金属類等でも同様の効果が得られる。
【００７６】
そして、本実施の形態の吹上げ防止手段を可動式のもの、例えば金属製フラップ５２１（図示省略）としも同様の効果を得られることができる。さらに、隙間ｇ６を完全に密閉するとさらなる効果が得られる。
【００７７】
図２（ａ）・図２（ｃ）において、空気吹上げ高さ調整部を発砲樹脂材、例えばフォーム６０１ａ・フォーム６０１ｂ（風路規制手段）とし、バックドア４の異なる高さ位置に接着剤で貼り付ける。具体的にはバックドア４を閉じたとき、フォーム６０１ａ・フォーム６０１ｂが商品収容部７及び商品収容部１０８に限りなく密接するよう貼り付け、さらにフォーム６０１ａの方がフォーム６０１ｂより高い位置になるよう貼り付ける。
【００７８】
以上のように構成された自動販売機の冷却加温機構について、以下その動作、作用を説明する。
【００７９】
まず、デリバリシュート１４を通して吹出した循環気流（熱風）は、商品収容部７・商品収容部１０８を循環し背面ダクト４０１の中間開口部４０１ｃに吸込まれる。そして、循環気流（熱風）は、再度デリバリシュート１４を通して吹出され、商品収容部７・商品収容部１０８を循環する。このとき、フォーム６０１ｂの方がフォーム６０１ａより低い位置にあり、商品収容部１０８の循環気流の方が商品収容部７より低い位置で循環する。
【００８０】
以上のように、本実施の形態においては、バックドア４を閉じたとき、フォーム６０１ａ・フォーム６０１ｂが商品収容部７及び商品収容部１０８に限りなく密接するよう貼り付け、さらにフォーム６０１ａの方がフォーム６０１ｂより高い位置になるよう貼り付け、商品収容部１０８の循環気流の方が商品収容部７より低い位置で循環することより、実施の形態１の効果に加えて、商品収容部毎に加温領域を調整できる。
【００８１】
なお、風路規制手段はフォーム６０１ａ・フォーム６０１ｂのように分割されたものに限らず、連続したものでも同様の効果が得られる。
【００８２】
また、フォーム６０１ａ・フォーム６０１ｂをバックドア４に貼付けるのではなく、商品収容部７・商品収容部１０８に貼付けても同様の効果が得られる。
【００８３】
さらに、フォーム６０１ａ・フォーム６０１ｂの体積を増やすと、バックドア４と商品収容部７・商品収容部１０８の隙間ｇ１が完全に閉塞されるため、さらなる効果が得られる。
【産業上の利用可能性】
【００８４】
以上のように、本発明にかかる自動販売機の冷却加温機構は商品収容部の下部を加温する部分加温の際、従来まで部分加温に使用されなかった商品収容部のいずれか一側面に沿って流入した循環気流を部分加温に使用できるため省エネになるだけでなく、遮風手段より上部にある商品収容部の商品の温度上昇を低減し加温劣化を防止でき、より長期間鮮度の高い商品を消費者に提供できることが効能となるので、自動販売機の冷却加温機構等の用途にも適用できる。
【図面の簡単な説明】
【００８５】
【図１】（ａ）本発明の実施の形態１における自動販売機の冷却加温機構の側面からみた構成図（ｂ）本発明の実施の形態１における自動販売機の冷却加温機構の正面からみた構成図
【図２】（ａ）本発明の実施の形態４における自動販売機の冷却加温機構の側面からみた構成図（ｂ）本発明の実施の形態４における背面ダクトの構成図（ｃ）本発明の実施の形態４におけるバックドアの構成図
【図３】従来の自動販売機の側面図
【符号の説明】
【００８６】
７，１０８  商品収容部
７ａ，１０８ａ  奥商品収容部
７ｂ，１０８ｂ  手前商品収容部
１０１ａ，１０１ｂ，１０１ｃ，１０１ｄ，１０１ｅ  フォーム（遮風手段）
１０３ａ  右バリヤ
１０３ｂ  左バリヤ
ｇ１，ｇ２，ｇ３，ｇ４，ｇ５，ｇ６  隙間
４０１  背面ダクト（風路抵抗手段）
４０１ｃ  中間開口部（風路抵抗手段）
４１１  凸部（風路抵抗手段）
５０１  ベンドコラム
５１１  フォーム（吹上げ防止手段）
６０１ａ・６０１ｂ  フォーム（風路規制手段）
【図１】
2008117033.tif 000003
【図２】
2008117033.tif 000004
【図３】
2008117033.tif 000005